【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
通信ネットワークに接続された装置を遠隔から制御するためのシステムであって、
１又は複数の被制御装置と、
通信ネットワークを介して前記被制御装置を制御する制御装置と
を備え、
前記１又は複数の被制御装置の各々は、
前記被制御装置を一意に識別するための不変の固定識別情報を記憶している被制御記憶手段と、
前記被制御記憶手段から前記固定識別情報を読み出し、その固定識別情報を前記通信ネットワークを介して前記制御装置に送信する固定識別情報送信手段と
を備え、
前記制御装置が、
前記１又は複数の被制御装置からそれぞれ１又は複数の固定識別情報を前記通信ネットワークを介して受信する固定識別情報受信手段と、
前記受信した１又は複数の固定識別情報を記憶する制御記憶手段と、
前記制御記憶手段が記憶した前記１又は複数の固定識別情報をそれぞれ用いて前記１又は複数の被制御装置を前記通信ネットワークを介して制御する制御手段と
を備えるリモート制御システム。
【請求項２】
前記被制御装置及び前記制御装置は、前記通信ネットワークに接続した場合にＩＰアドレスの割振りを受け、
前記１又は複数の被制御装置の各々が、前記割振られたＩＰアドレスを前記通信ネットワークに送出するＩＰアドレス送出手段を更に備え、
前記固定識別情報送信手段が、前記送出されたＩＰアドレスを受信した前記制御装置から固定識別情報の問い合わせを受け、その問い合わせに応答して、前記格納手段から前記固定識別情報を読み出して前記制御装置に送信し、
前記制御装置が、前記１又は複数の被制御装置からそれぞれ１又は複数のＩＰアドレスを受信し、それら１又は複数のＩＰアドレスからそれぞれ識別される前記１又は複数の被制御装置に固定識別情報を問い合わせる問合せ手段を更に備え、
前記制御記憶手段がメモリであり、
前記固定識別情報受信手段が、前記問合せ手段による問合せに応答して前記１又は複数の固定識別情報を受信し、
前記制御手段が、前記メモリが記憶した１又は複数の固定識別情報の中から選択された選択固定識別情報を含む電源制御コマンドを生成し、生成した電源制御コマンドを、前記選択固定識別情報を有する前記被制御装置に送信する、
請求項１記載のリモート制御システム。
【請求項３】
通信ネットワークに接続された１又は複数の被制御装置を遠隔から制御する制御装置であって、
前記１又は複数の被制御装置をそれぞれ識別するための１又は複数の固定識別情報を前記１又は複数の被制御装置から前記通信ネットワークを介してそれぞれ受信する固定識別情報受信手段と、
前記受信した１又は複数の固定識別情報を記憶する固定識別情報記憶手段と、
前記固定識別情報記憶手段が記憶した前記１又は複数の固定識別情報をそれぞれ用いて前記１又は複数の被制御装置を前記通信ネットワークを介して制御する制御手段と
を備える制御装置。
【請求項４】
前記通信ネットワークに接続することによって１又は複数のＩＰアドレスがそれぞれ割振られた前記１又は複数の被制御装置からそれぞれ前記１又は複数のＩＰアドレスを受信し、それら１又は複数のＩＰアドレスからそれぞれ識別される前記１又は複数の被制御装置に固定識別情報を問い合わせる問合せ手段を更に備え、
前記固定識別情報記憶手段がメモリであり、
前記固定識別情報受信手段が、前記問合せ手段による問合せに応答して前記１又は複数の固定識別情報を受信し、
前記制御手段が、前記メモリが記憶した１又は複数の固定識別情報の中から選択された選択固定識別情報を含む電源制御コマンドを生成し、生成した電源制御コマンドを、前記選択固定識別情報を有する前記被制御装置に送信する、
請求項３記載の制御装置。
【請求項５】
どの第１被制御装置にどの第２被制御装置が接続されているかを示す接続関係情報を記憶する接続関係記憶手段を更に備え、
前記制御手段が、前記接続関係情報に基づき、前記第１被制御装置に電源オンコマンド又は電源オフコマンドを送信するのであれば、前記電源オンコマンド又は前記電源オフコマンドと同種のコマンドを前記第１被制御装置に接続されている１又は複数の前記第２被制御装置に送信する、
請求項３記載の制御装置。
【請求項６】
前記１又は複数の被制御装置の各々をユーザが識別するためのユーザ用被制御装置識別情報と、前記１又は複数の被制御装置の各々の電源状態とを記憶する電源状態記憶手段と、
前記１又は複数の被制御装置にそれぞれ対応した１又は複数のユーザ用被制御装置識別情報及び電源状態を前記電源状態記憶手段から読出し、前記１又は複数の被制御装置にそれぞれ対応した１又は複数のユーザ用被制御装置識別情報及び電源状態の電源状態一覧リストを所定のディスプレイ画面に表示する電源状態表示手段と
を更に備え、
前記固定識別情報記憶手段が、前記１又は複数の固定識別情報をそれぞれ前記１又は複数のユーザ用被制御装置識別情報に対応付けて記憶し、
前記制御手段が、前記電源状態一覧リストの中からユーザ所望の被制御装置が選択された場合、その選択された被制御装置のユーザ用被制御装置識別情報に対応した固定識別情報を前記固定識別情報記憶手段から取得し、取得した固定識別情報含む電源制御コマンドを生成して、その電源制御コマンドを、前記取得した固定識別情報を有する被制御装置に送信する、
請求項３記載の制御装置。
【請求項７】
前記制御手段が、ユーザ所望のコンテンツを格納しているターゲット被制御装置に前記ユーザ所望のコンテンツを要求する場合、前記ターゲット被制御装置の電源がオフ状態であれば、前記ターゲット被制御装置に対応した固定識別情報を前記固定識別情報記憶手段から読出して、その固定識別情報を含んだ電源オンコマンドを生成して前記ターゲット被制御装置に送信し、その後で、前記ユーザ所望のコンテンツを前記ターゲット制御装置に要求する、
請求項３記載の制御装置。
【請求項８】
コンテンツについての所定処理が終了した旨を意味する所定処理終了通知を被制御装置から受信する終了通知受信手段を更に備え、
前記制御手段が、前記所定処理終了通知の受信に応答して、その所定処理終了通知の送信元の被制御装置の電源をターンオフする、
請求項３記載の制御装置。
【請求項９】
前記所定処理終了通知を受信する場合に前記制御装置の電源がオフ状態になっていれば、
前記制御手段が、前記送信元の被制御装置から電源オンコマンドを受信して前記制御装置の電源をターンオンし、その後、前記所定処理終了通知の受信に応答して、前記送信元の被制御装置の電源をターンオフする、
請求項８記載の制御装置。
【請求項１０】
前記制御手段が、第１被制御装置に格納されているコンテンツについて第２被制御装置で所定処理を実行することを意味するコンテンツ制御コマンドを前記第１及び第２被制御装置の少なくとも一方に送信し、前記第１及び第２被制御装置の少なくとも一方から前記所定処理終了通知を受信した場合、前記第１及び第２被制御装置の両方の電源をターンオフする、
請求項８記載の制御装置。
【請求項１１】
別の制御装置との間でスレーブ又はマスタの役割を担うようになっており、
前記スレーブの役割を担う場合、
マスタの役割を担うマスタ制御装置の固定識別情報を記憶するマスタ情報記憶手段と、
ユーザ所望のコンテンツに関するコンテンツ情報の要求を受ける手段と
を備え、前記制御手段が、前記要求に応答して、マスタ制御装置の固定識別情報を前記マスタ情報記憶手段から読出し、その固定識別情報を含んだ電源オンコマンドを生成して、その電源オンコマンドを前記マスタ制御装置に送信し、その後、前記コンテンツ情報の要求を前記マスタ制御装置に送信し、
前記マスタの役割を担う場合、
前記１又は複数の被制御装置に格納されている１以上のコンテンツにそれぞれ対応した１以上のコンテンツ情報を記憶するコンテンツ情報記憶手段を備え、
前記制御手段が、前記スレーブの役割を担うスレーブ制御装置から前記電源オンコマンドを受信して電源をターンオンし、その後、前記コンテンツ情報の要求を受け、その要求に合ったコンテンツ情報を、前記コンテンツ情報記憶手段が記憶する前記１以上のコンテンツ情報の中から取得し、前記取得されたコンテンツ情報を前記スレーブ制御装置に送信するか、或いは、前記取得されたコンテンツ情報から識別されるコンテンツを前記スレーブ制御装置に送信するようそのコンテンツを格納する被制御装置に命じる、
請求項３記載の制御装置。
【請求項１２】
制御装置から通信ネットワークを介して制御される被制御装置であって、
前記被制御装置を一意に識別するための不変の固定識別情報を記憶している被制御記憶手段と、
前記被制御記憶手段から前記固定識別情報を読み出し、その固定識別情報を前記通信ネットワークを介して前記制御装置に送信する固定識別情報送信手段と、
前記固定識別情報を受信した前記制御装置から制御される被制御手段と
を備える被制御装置。
【請求項１３】
通信ネットワークに接続することによって割振られたＩＰアドレスを前記通信ネットワークに送出するＩＰアドレス送出手段を更に備え、
前記固定識別情報送信手段が、前記送出されたＩＰアドレスを受信した前記制御装置から固定識別情報の問い合わせを受け、その問い合わせに応答して、前記格納手段から前記固定識別情報を読み出して前記制御装置に送信し、
前記被制御手段が、前記制御装置から電源制御コマンドを受信し、その電源制御コマンドに応じて、前記被制御装置の電源を制御する、
請求項１２記載の被制御装置。
【請求項１４】
前記被制御手段が、前記制御装置から電源オフ命令を受信した場合、前記被制御装置が所定状態であれば、前記電源オフ命令を無視して電源オン状態を維持する、
請求項１２記載の被制御装置。
【請求項１５】
前記被制御装置が別の被制御装置に接続されている場合、
前記被制御手段が、前記電源制御命令を受信した場合、その電源制御命令に基づく電源制御処理を実行すると共に、それと同種の電源制御処理を前記別の被制御装置に対して行わせる、
請求項１２記載の被制御装置。
【請求項１６】
前記被制御手段が、前記制御装置から指定されたコンテンツについて、前記制御装置から指定された内容の処理を行い、その処理が終了した場合、自動的に前記被制御装置の電源をターンオフするか、或いは、その処理の終了を意味する所定処理終了通知を前記制御装置に送信しそれに応答して受信する電源オフ命令に基づいて前記被制御装置の電源をターンオフする、
請求項１２記載の被制御装置。
【請求項１７】
前記被制御手段が、前記制御装置から指定されたコンテンツを、前記制御装置から指定された別の被制御装置に転送し、その別の被制御装置において、前記コンテンツの所定処理が終了した場合、前記被制御装置及び前記別の被制御装置の電源をターンオフする、
請求項１２記載の被制御装置。
【請求項１８】
前記被制御手段が、前記制御装置から指定されたコンテンツを、前記制御装置から指定された別の被制御装置に転送し、その別の被制御装置において、前記コンテンツの所定処理が終了した場合、前記被制御装置及び前記別の被制御装置に電源オフ命令を送信することを意味する電源オフ送信命令を前記制御装置に送信し、それに応答して前記電源オフ命令を前記制御装置から受信した場合に、前記被制御装置の電源をターンオフする、
請求項１２記載の被制御装置。
【請求項１９】
前記制御装置を識別するための不変の制御装置固定識別情報を記憶する制御装置記憶手段を更に備え、
前記被制御手段が、前記制御装置の電源がオフ状態であれば、前記制御装置記憶手段から前記制御装置固定識別情報を読出して、その制御装置固定識別情報を含む電源オンコマンドを生成し、その電源オンコマンドを前記制御装置に送信し、その後、前記電源オフ送信命令を前記制御装置に送信する、
請求項１８記載の被制御装置。